(57)【要約】【課題】空間の明るさ感を向上させることが可能なＬＥＤモジュール及びそれを備えた照明器具を提供する。【解決手段】ＬＥＤモジュール１ａは、回路基板２と、複数の第１光源部３１と、複数の第２光源部３２と、を備える。複数の第１光源部３１及び複数の第２光源部３２は、回路基板２の表面２１上に配置されている。複数の第１光源部３１と複数の第２光源部３２との各々は、複数のＬＥＤチップ３４と、複数のＬＥＤチップ３４を覆っている波長変換部３５と、を有する。複数の第１光源部３１と複数の第２光源部３２とは、互いに複数のＬＥＤチップ３４の数が異なる。複数の第１光源部３１のうち少なくとも１つの第１光源部３１と複数の第２光源部３２のうち少なくとも１つの第２光源部３２とを含む直列回路４が形成されるように複数の第１光源部３１及び複数の第２光源部３２を接続する配線２３を備える。【選択図】図１
2017050080.tif 000002
【特許請求の範囲】
【請求項１】
回路基板と、複数の第１光源部と、複数の第２光源部と、を備え、
前記複数の第１光源部及び前記複数の第２光源部は、前記回路基板の表面上に配置されており、
前記複数の第１光源部と前記複数の第２光源部との各々は、複数のＬＥＤチップと、前記複数のＬＥＤチップを覆っている波長変換部と、を有し、
前記複数の第１光源部と前記複数の第２光源部とは、互いに前記複数のＬＥＤチップの数が異なり、
前記複数の第１光源部のうち少なくとも１つの第１光源部と前記複数の第２光源部のうち少なくとも１つの第２光源部とを含む直列回路が形成されるように前記複数の第１光源部及び前記複数の第２光源部を接続する配線を備える、
ことを特徴とするＬＥＤモジュール。
【請求項２】
前記複数の第１光源部及び前記複数の第２光源部の各々は、前記複数のＬＥＤチップが、前記波長変換部の中心軸に直交する一平面と前記中心軸との交点を中心として点対称となるように配置されている、
ことを特徴とする請求項１記載のＬＥＤモジュール。
【請求項３】
前記複数の第１光源部及び前記複数の第２光源部の各々における前記複数のＬＥＤチップのうち前記波長変換部の外周に沿って配置された一群のＬＥＤチップそれぞれと前記波長変換部の外周との最短距離が前記一群のＬＥＤチップにおいて同じである、
ことを特徴とする請求項２記載のＬＥＤモジュール。
【請求項４】
前記複数の第１光源部及び前記複数の第２光源部の各々は、表面実装型ＬＥＤである、
ことを特徴とする請求項１乃至３のいずれか一項に記載のＬＥＤモジュール。
【請求項５】
前記複数の第１光源部及び前記複数の第２光源部の各々における前記複数のＬＥＤチップは、前記回路基板の前記表面に実装されている、
ことを特徴とする請求項１乃至３のいずれか一項に記載のＬＥＤモジュール。
【請求項６】
前記複数の第１光源部の各々では、前記複数のＬＥＤチップのうち第１規定数のＬＥＤチップを直列接続して構成された第１所定数の第１基本回路が並列接続されており、
前記複数の第２光源部の各々では、前記複数のＬＥＤチップのうち第２規定数のＬＥＤチップを直列接続して構成された第２所定数の第２基本回路が並列接続されており、
前記第１規定数と前記第２規定数とが異なり、
前記第１所定数と前記第２所定数とが同じである、
ことを特徴とする請求項１乃至５のいずれか一項に記載のＬＥＤモジュール。
【請求項７】
前記複数の第１光源部の各々では、前記複数のＬＥＤチップのうち第１規定数のＬＥＤチップを直列接続して構成された第１所定数の第１基本回路が並列接続されており、
前記複数の第２光源部の各々では、前記複数のＬＥＤチップのうち第２規定数のＬＥＤチップを直列接続して構成された第２所定数の第２基本回路が並列接続されており、
前記第１規定数と前記第２規定数とが同じであり、
前記第１所定数と前記第２所定数とが異なる、
ことを特徴とする請求項１乃至５のいずれか一項に記載のＬＥＤモジュール。
【請求項８】
請求項１乃至７のいずれか一項に記載のＬＥＤモジュールと、前記ＬＥＤモジュールを保持する器具本体と、を備える、
ことを特徴とする照明器具。
【請求項９】
前記複数の第１光源部及び前記複数の第２光源部に一対一で対応する複数のレンズをさらに備える、
ことを特徴とする請求項８記載の照明器具。
【請求項１０】
前記複数のレンズの各々は、拡散透過性を有する、
ことを特徴とする請求項９記載の照明器具。
【発明の詳細な説明】
【技術分野】
【０００１】
本発明は、ＬＥＤ（Light Emitting Diode）モジュール及びそれを備えた照明器具に関する。
【背景技術】
【０００２】
従来、高定格出力のＬＥＤパッケージと低定格出力のＬＥＤパッケージとを同一のＬＥＤモジュール基板に実装して構成されたＬＥＤモジュールが提案されている（特許文献１）。また、特許文献１には、上述のＬＥＤモジュールを備えた照明器具が記載されている。
【先行技術文献】
【特許文献】
【０００３】
【特許文献１】特開２０１３−２０７１２号公報
【発明の概要】
【発明が解決しようとする課題】
【０００４】
ＬＥＤモジュール及びそれを備えた照明器具の分野においては、空間の明るさ感を向上させることが可能なＬＥＤモジュール及びそれを備えた照明器具が望まれる場合がある。
【０００５】
本発明の目的は、空間の明るさ感を向上させることが可能なＬＥＤモジュール及びそれを備えた照明器具を提供することにある。
【課題を解決するための手段】
【０００６】
本発明に係る一態様のＬＥＤモジュールは、回路基板と、複数の第１光源部と、複数の第２光源部と、を備える。前記複数の第１光源部及び前記複数の第２光源部は、前記回路基板の表面上に配置されている。前記複数の第１光源部と前記複数の第２光源部との各々は、複数のＬＥＤチップと、前記複数のＬＥＤチップを覆っている波長変換部と、を有する。前記複数の第１光源部と前記複数の第２光源部とは、互いに前記複数のＬＥＤチップの数が異なる。前記複数の第１光源部のうち少なくとも１つの第１光源部と前記複数の第２光源部のうち少なくとも１つの第２光源部とを含む直列回路が形成されるように前記複数の第１光源部及び前記複数の第２光源部を接続する配線を備える。
【０００７】
本発明に係る一態様の照明器具は、上述のＬＥＤモジュールと、前記ＬＥＤモジュールを保持する器具本体と、を備える。
【発明の効果】
【０００８】
本発明のＬＥＤモジュールでは、空間の明るさ感を向上させることが可能となる。
【０００９】
本発明の照明器具では、空間の明るさ感を向上させることが可能となる。
【図面の簡単な説明】
【００１０】
【図１】図１Ａは、実施形態１のＬＥＤモジュールを示す概略平面図である。図１Ｂは、実施形態１のＬＥＤモジュールの要部拡大平面図である。図１Ｃは、ＬＥＤモジュールの模式的な回路図である。
【図２】図２は、実施形態１のＬＥＤモジュールの回路図である。
【図３】図３Ａは、実施形態１のＬＥＤモジュールにおける第１光源部を構成する表面実装型ＬＥＤの概略斜視図である。図３Ｂは、実施形態１のＬＥＤモジュールにおける第２光源部を構成する表面実装型ＬＥＤの概略斜視図である。
【図４】図４Ａは、実施形態１のＬＥＤモジュールを備えた照明器具の概略平面図である。図４Ｂは、実施形態１のＬＥＤモジュールを備えた照明器具の一部破断した概略正面図である。
【図５】図５は、実施形態１のＬＥＤモジュールを備えた照明器具の要部説明図である。
【図６】図６は、第１変形例のＬＥＤモジュールの回路図である。
【図７】図７は、第２変形例のＬＥＤモジュールの模式的な回路図である。
【図８】図８は、実施形態２のＬＥＤモジュールの要部拡大平面図である。
【発明を実施するための形態】
【００１１】
（実施形態１）
以下では、本実施形態のＬＥＤモジュール１ａについて、図１Ａ、１Ｂ、１Ｃ、２、３Ａ及び３Ｂに基づいて説明する。なお、図１Ａ、１Ｂ及び２は、模式的な図であり、各構成要素の大きさの比が、必ずしも実際の寸法比を反映しているとは限らない。
【００１２】
ＬＥＤモジュール１ａは、回路基板２と、複数の第１光源部３１と、複数の第２光源部３２と、を備える。複数の第１光源部３１及び複数の第２光源部３２は、回路基板２の表面２１上に配置されている。複数の第１光源部３１と複数の第２光源部３２との各々は、複数のＬＥＤチップ３４と、複数のＬＥＤチップ３４を覆っている波長変換部３５と、を有する。複数の第１光源部３１と複数の第２光源部３２とは、互いに複数のＬＥＤチップ３４の数が異なる。複数の第１光源部３１のうち少なくとも１つの第１光源部３１と複数の第２光源部３２のうち少なくとも１つの第２光源部３２とを含む直列回路４が形成されるように複数の第１光源部３１及び複数の第２光源部３２を接続する配線２３を備える。以上の構成により、ＬＥＤモジュール１ａは、空間の明るさ感を向上させることが可能となる。ＬＥＤモジュール１ａでは、第１光源部３１と第２光源部３２とで光束が異なる。これにより、ＬＥＤモジュール１ａでは、輝度分布における輝度の大小を発生させることができ、明るさ感を向上させることが可能となる。ＬＥＤモジュール１ａでは、第１光源部３１と第２光源部３２とが並列接続されている場合に比べて、第１光源部３１及び第２光源部３２の電気特性のばらつきによる第１光源部３１及び第２光源部３２の電流のばらつきに起因して第１光源部３１と第２光源部３２との輝度比が小さくなる、ことを抑制することが可能となる。「空間」とは、屋内又は屋外の空間である。「空間の明るさ感」とは、人が空間を観察した時に感じる明るさの心理量である。
【００１３】
ＬＥＤモジュール１ａの各構成要素については、以下に、より詳細に説明する。
【００１４】
回路基板２の平面視形状は、円形状であるが、これに限らない。「回路基板２の平面視形状」とは、回路基板２の厚さ方向から見た回路基板２の外周形状である。回路基板２は、プリント配線板により構成されている。プリント配線板は、熱伝導率が高いのが好ましい。プリント配線板は、例えば、ＣＥＭ−３（Composite Epoxy Materials-3）の規格を満たすガラス布・ガラス不織布複合基材エポキシ樹脂銅張積層板から形成されている。
【００１５】
回路基板２は、各第１光源部３１及び各第２光源部３２からの光を反射する白色レジスト層２２を備えているのが好ましい。回路基板２では、白色レジスト層２２を備えている場合、白色レジスト層２２の表面が回路基板２の表面２１の一部を構成する。これにより、ＬＥＤモジュール１ａは、回路基板２での光吸収を抑制することが可能となり、光出力の高出力化を図ることが可能となる。白色レジスト層２２の材料は、例えば、フッ素樹脂系の白色レジスト、エポキシ樹脂系の白色レジスト及びシリコーン樹脂系の白色レジストの群から選択される１種であるのが好ましい。
【００１６】
ＬＥＤモジュール１ａでは、回路基板２の表面２１上に複数（４個）の第１光源部３１及び複数（４個）の第２光源部３２が配置されている。ＬＥＤモジュール１ａでは、複数の第１光源部３１及び複数の第２光源部３２の電気的な接続形態として、図１Ｃに示すように複数の第１光源部３１及び複数の第２光源部３２が直列接続された接続形態を採用している。図１Ｃでは、第１光源部３１及び第２光源部３２をＬＥＤの図記号で示してある。回路基板２は、複数の第１光源部３１及び複数の第２光源部３２を直列接続した直列回路４を形成するために、上述の配線２３を備えている。回路基板２は、複数の第１光源部３１及び複数の第２光源部３２の接続関係を規定するように配線２３のパターンが設計されている。配線２３は、導電層により構成されている。導電層は、銅はく等により構成されている。また、回路基板２は、直列回路４への給電用の第１端子部２７及び第２端子部２８を備えている。第１端子部２７及び第２端子部２８は、配線２３と同様、導電層により構成されている。ＬＥＤモジュール１ａは、例えば、外部の電源ユニット（電源装置）等から第１端子部２７と第２端子部２８との間に給電されることにより、複数の第１光源部３１及び複数の第２光源部３２が発光する。
【００１７】
複数の第１光源部３１及び複数の第２光源部３２の各々の平面視形状は、矩形（直角四辺形）状である。より詳細には、複数の第１光源部３１及び複数の第２光源部３２の各々の平面視形状は、正方形状である。「第１光源部３１の平面視形状」とは、回路基板２の厚さ方向から見た第１光源部３１の外周形状である。「第２光源部３２の平面視形状」とは、回路基板２の厚さ方向から見た第２光源部３２の外周形状である。
【００１８】
複数の第１光源部３１及び複数の第２光源部３２の各々の光源色は、例えば、ＪＩＳ  Ｚ９１１２：２０１２で定義されているＬＥＤの光源色の相関色温度に基づいて設定するのが好ましい。ＪＩＳ  Ｚ９１１２：２０１２では、ＬＥＤの光源色が、ＸＹＺ表色系における色度によって、昼光色、昼白色、白色、温白色及び電球色の５種類に区分される。本実施形態のＬＥＤモジュール１ａでは、複数の第１光源部３１及び複数の第２光源部３２の各々の光源色が白色であるが、これに限らず、例えば、昼白色等でもよい。
【００１９】
ＬＥＤチップ３４の平面視形状は、例えば、正方形状であるのが好ましい。「ＬＥＤチップ３４の平面視形状」とは、回路基板２の厚さ方向に沿った方向から見たＬＥＤチップ３４の外周形状である。
【００２０】
ＬＥＤチップ３４は、例えば、青色光を放射するＬＥＤチップである。ＬＥＤチップ３４は、４４０ｎｍ〜４８０ｎｍの波長域に発光ピーク波長がある発光スペクトルを有する。波長変換部３５は、蛍光体粒子を備える。蛍光体粒子は、例えば、ＬＥＤチップ３４から放射された光（第１の光）により励起されて第１の光よりも長波長の光（第２の光）を放射する粒子である。波長変換部３５は、例えば、蛍光体粒子と透光性材料との混合体により形成されているのが好ましい。透光性材料は、可視光に対する透過率が高い材料が好ましい。透光性材料は、例えば、シリコーン系樹脂である。これにより、ＬＥＤモジュール１ａでは、波長変換部３５の耐熱性及び耐候性を向上させることが可能となる。「シリコーン系樹脂」とは、シリコーン樹脂、変性シリコーン樹脂を含む。波長変換部３５は、ＬＥＤチップ３４から放射された第１の光の一部を波長変換して異なる波長の光を放射する波長変換材料として、上述の蛍光体粒子を備えている。蛍光体粒子としては、例えば、黄色の光を放射する黄色蛍光体粒子を採用することができる。黄色蛍光体粒子は、例えば、５３０ｎｍ〜５８０ｎｍの波長域に主発光ピーク波長がある発光スペクトルを有するのが好ましい。黄色蛍光体粒子の組成は、例えば、Ｅｕで付活されたＳｒＳｉ2Ｏ2Ｎ2等である。
【００２１】
第１光源部３１における複数のＬＥＤチップ３４は、同一の仕様であるのが好ましい。「同一の仕様」とは、発光ピーク波長、構造、順方向電圧（Ｖｆ）及び光束それぞれが同じであることを意味する。第１光源部３１では、図２に示すように、複数（１６個）のＬＥＤチップ３４が直並列接続されている。第２光源部３２では、複数（１２個）のＬＥＤチップ３４が直並列接続されている。第２光源部３２における複数のＬＥＤチップ３４は、同一の仕様であるのが好ましい。また、第２光源部３２における複数のＬＥＤチップ３４は、第１光源部３１における複数のＬＥＤチップ３４と同じ仕様であるのが好ましい。
【００２２】
複数の第１光源部３１の各々では、複数（１６個）のＬＥＤチップ３４のうち第１規定数（４個）のＬＥＤチップ３４を直列接続して構成された第１所定数（４個）の第１基本回路４１が並列接続されている。また、複数の第２光源部３２の各々では、複数（１２個）のＬＥＤチップ３４のうち第２規定数（３個）のＬＥＤチップ３４を直列接続して構成された第２所定数（４個）の第２基本回路４２が並列接続されている。ＬＥＤモジュール１ａでは、第１規定数（４個）と第２規定数（３個）とが異なり、第１所定数（４個）と第２所定数（４個）とが同じである。つまり、ＬＥＤモジュール１ａでは、直列接続されているＬＥＤチップ３４の数が、第１光源部３１と第２光源部３２とで異なっている。以上の構成により、ＬＥＤモジュール１ａでは、第１光源部３１の順方向電圧と第２光源部３２の順方向電圧とを異ならせることができ、かつ、第１光源部３１の光束と第２光源部３２の光束とを異ならせることができる。
【００２３】
第１光源部３１の順方向電圧は、第１基本回路４１における各ＬＥＤチップ３４の順方向電圧の合計電圧である。したがって、第１光源部３１の順方向電圧は、ＬＥＤチップ３４の順方向電圧と第１規定数との積と略等しくなる。第２光源部３２の順方向電圧は、第２基本回路４２における各ＬＥＤチップ３４の順方向電圧の合計電圧である。したがって、第２光源部３２の順方向電圧は、ＬＥＤチップ３４の順方向電圧と第２規定数との積と略等しくなる。
【００２４】
第１光源部３１の光束は、ＬＥＤチップ３４の数が多くなるほど大きくなる。第１光源部３１の光束は、ＬＥＤチップ３４が１個の場合の光束とＬＥＤチップ３４の数との積と略等しくなる。第２光源部３２の光束は、ＬＥＤチップ３４が１個の場合の光束とＬＥＤチップ３４の数との積と略等しくなる。
【００２５】
複数の第１光源部３１及び複数の第２光源部３２の各々は、表面実装型ＬＥＤである。これにより、ＬＥＤモジュール１ａでは、回路基板２の表面２１上にワイヤレスで複数の第１光源部３１及び複数の第２光源部３２が実装されている構成とすることができる。「複数の第１光源部３１及び複数の第２光源部３２が実装されている」とは、複数の第１光源部３１及び複数の第２光源部３２が回路基板２の表面２１上に配置されて機械的に接続されていることと、複数の第１光源部３１及び複数の第２光源部３２が回路基板２の配線２３に電気的に接続されていることと、を含む概念である。
【００２６】
第１光源部３１は、複数（１６個）のＬＥＤチップ３４及び波長変換部３５を収納したパッケージ３１１を備えている。
【００２７】
第２光源部３２は、複数（１２個）のＬＥＤチップ３４及び波長変換部３５を収納したパッケージ３２１を備えている。
【００２８】
第１光源部３１と第２光源部３２とは、同じ大きさであるのが好ましい。また、第１光源部３１と第２光源部３２とは、外部接続用電極の配置及び大きさが同じであるのが好ましい。これにより、ＬＥＤモジュール１ａでは、複数の第１光源部３１及び複数の第２光源部３２それぞれの配置の自由度が高くなる。
【００２９】
複数の第１光源部３１及び複数の第２光源部３２の各々は、複数のＬＥＤチップ３４が、波長変換部３５の中心軸３５０に直交する一平面と中心軸３５０との交点を中心として点対称となるように配置されているのが好ましい。これにより、ＬＥＤモジュール１ａでは、色むらを抑制することが可能となる。「一平面」は、複数のＬＥＤチップ３４を含む平面である。「色むら」とは、光の照射方向によって色度が変化している状態である。
【００３０】
複数の第１光源部３１及び複数の第２光源部３２の各々における複数のＬＥＤチップ３４のうち波長変換部３５の外周３５１に沿って配置された一群のＬＥＤチップ３４それぞれと波長変換部３５の外周３５１との最短距離Ｌ１が一群のＬＥＤチップ３４において同じであるのが好ましい。これにより、ＬＥＤモジュール１ａでは、複数の第１光源部３１及び複数の第２光源部３２の各々において、色度のばらつきを抑制することが可能となる。言い換えれば、ＬＥＤモジュール１ａでは、色むらを抑制することが可能となる。なお、ＬＥＤモジュール１ａでは、第１光源部３１と第２光源部３２とで最短距離Ｌ１が異なっていてもよい。
【００３１】
以下では、上述のＬＥＤモジュール１ａを備えた照明器具６について図４Ａ、４Ｂ及び５に基づいて説明する。
【００３２】
照明器具６は、ＬＥＤモジュール１ａと、ＬＥＤモジュール１ａを保持する器具本体７と、を備える。これにより、照明器具６では、空間の明るさ感を向上させることが可能となる。
【００３３】
照明器具６は、天井埋込型の照明器具である。より、詳細には、照明器具６は、天井埋込型のダウンライトである。
【００３４】
照明器具６は、器具本体７の下端部に取り付けられた取付枠９と、取付枠９に取り付けられた２つの取付ばね１０と、を備えている。
【００３５】
器具本体７は、一例として、アルミニウムにより形成されている。器具本体７は、アルミダイキャスト法によって形成されている。
【００３６】
器具本体７は、ベース部７１と、複数の放熱フィン７２と、を一体に備えている。ベース部７１は、円盤状に形成されており、第１面（下面）７１１と、第２面（上面）７１２と、を有する。複数の放熱フィン７２は、ベース部７１の第２面７１２からベース部７１の厚さ方向に沿った方向（上方向）へ突出している。複数の放熱フィン７２は、ベース部７１の周方向に並んで配置されている。照明器具６では、ベース部７１の第１面７１１側にＬＥＤモジュール１ａが配置されている。照明器具６では、ベース部７１とＬＥＤモジュール１ａとの間に、電気絶縁性及び熱伝導性を有する熱伝導性シートを介在させてあるのが好ましい。熱伝導性シートは、例えば、電気絶縁性および熱伝導性を有するシリコーンゲルのシートである。この種のシリコーンゲルのシートとしては、例えば、サーコン（登録商標）等を採用することができる。また、熱伝導性シートの材料は、シリコーンゲルに限らず、電気絶縁性および熱伝導性を有していれば、例えば、エラストマーでもよい。
【００３７】
照明器具６は、ＬＥＤモジュール１ａと器具本体７との間に熱伝導性シートを介在させてあるので、ＬＥＤモジュール１ａで発生した熱を、器具本体７へ効率良く伝熱させることが可能となる。よって、照明器具６は、ＬＥＤモジュール１ａで発生した熱を複数の放熱フィン７２から効率良く放熱させることが可能となる。
【００３８】
取付枠９は、一例として、アルミニウムにより形成されている。取付枠９は、アルミダイキャスト法によって形成されている。取付枠９は、円筒状の枠体９１と、枠体９１の下端部から外側に突出したフランジ９２と、を備えている。フランジ９２の外周形状は、円形状である。フランジ９２の外径は、枠体９１の外径よりも大きい。
【００３９】
各取付ばね１０は、ステンレス鋼により形成されている。各取付ばね１０は、板ばねである。２つの取付ばね１０は、枠体９１の周方向において離れて配置されている。照明器具６では、平面視において一対の取付ばね１０が一直線上に並ぶように配置されている。
【００４０】
照明器具６は、取付枠９と２つの取付ばね１０とを利用して天井材に取り付けることができる。ここで、天井材には、照明器具６を取り付けるための取付孔が形成されている。取付孔の内径は、枠体９１の外径よりも大きくフランジ９２の外径よりも小さい。照明器具６を施工する際には、器具本体７を取付孔に挿入する前に各取付ばね１０を器具本体７に沿うように弾性変形させてから、器具本体７及び各取付ばね１０を取付孔に挿入し、フランジ９２を天井材の下面に当たった状態とすれば、各取付ばね１０のばね力によって各取付ばね１０が天井材に当たる。よって、照明器具６では、各取付ばね１０とフランジ９２とで天井材を挟持することができる。言い換えれば、照明器具６が天井材に取り付けられた状態となる。
【００４１】
照明器具６は、複数の第１光源部３１及び複数の第２光源部３２に一対一で対応する複数のレンズ８をさらに備えるのが好ましい。つまり、複数のレンズ８の各々は、一対一で対応する第１光源部３１又は第２光源部３２から放射される光の配光を制御する。これにより、照明器具６では、光出力の高出力化を図れ、かつ、輝度分布における輝度の大小をよりはっきりさせることが可能となり、明るさ感をより向上させることが可能となる。
【００４２】
各レンズ８は、アクリル樹脂により形成されている。各レンズ８は、それぞれの中心軸に沿った方向において回路基板２から離れるにつれて外径が大きくなる形状に形成されており、外側面８０を有する。各レンズ８は、それぞれの中心軸を基準として軸対称性を有する形状に形成されている。各レンズ８は、回路基板２側に第１光源部３１又は第２光源部３２を収納する凹部８１が形成されており、凹部８１の内面８１１が光入射面８２を構成している。凹部８１の内面８１１は、凹部８１の内底面８１２と、凹部８１の内側面８１３と、で構成されている。凹部８１の開口形状は、円形状である。各レンズ８は、回路基板２側とは反対側の表面８３が光出射面８４を構成している。
【００４３】
各レンズ８は、凹部８１の内底面８１２から入射した光を光出射面８４から出射させる機能と、凹部８１の内側面８１３から入射した光を外側面８０で反射させて光出射面８４から出射させる機能と、を有している。なお、図５では、第１光源部３１から放射された光の進行経路を一点鎖線で模式的に示している。
【００４４】
照明器具６は、複数のレンズ８を有するレンズ部材８００を備えている。レンズ部材８００は、回路基板２の表面２１から離れて配置される前板部８０１１と、前板部８０１１の周縁から器具本体７側へ突出した円環状の側板部８０１２と、を備える。要するに、レンズ部材８００は、有底円筒状に形成されている。前板部８０１１及び側板部８０１２は、アクリル樹脂により形成されている。レンズ部材８００では、前板部８０１１に各レンズ８が一体に形成されている。要するに、レンズ部材８００は、アクリル樹脂により形成されている。レンズ部材８００は、器具本体７に取り付けられている。照明器具６では、回路基板２の厚さ方向において重なる第１光源部３１又は第２光源部３２とレンズ８との互いの中心軸（光軸）が一致しているのが好ましい。なお、第１光源部３１及び第２光源部３２の各々の中心軸は、波長変換部３５の中心軸３５０と同じである。
【００４５】
複数のレンズ８の各々は、拡散透過性を有するのが好ましい。これにより、照明器具６では、各レンズ８それぞれから出射する光の輝度を高めることが可能となり、明るさ感をより向上させることが可能となる。
【００４６】
各レンズ８は、例えば、光出射面８４が光拡散性を有しているのが好ましい。光拡散性を有する光出射面８４は、例えば、シボ加工を施すことにより形成することが可能である。
【００４７】
各レンズ８は、光拡散材を含有した透明材料（例えば、アクリル樹脂）により形成されることで光拡散性を有していてもよい。光拡散材は、粒子状に形成されている。光拡散材の材料としては、無機材料、有機材料、有機・無機ハイブリッド材料等を用いることができる。無機材料としては、例えば、酸化アルミニウム、シリカ、酸化チタン、金等を用いることができる。有機材料としては、例えば、フッ素系樹脂等を用いることができる。
【００４８】
（第１変形例）
以下では、第１変形例のＬＥＤモジュール１ｂについて、図６に基づいて説明する。
【００４９】
第１変形例のＬＥＤモジュール１ｂは、実施形態１のＬＥＤモジュール１ａと基本構成が同じである。第１変形例のＬＥＤモジュール１ｂでは、第１光源部３１の回路構成が同じで、第２光源部３２の回路構成が異なる。第１変形例のＬＥＤモジュール１ｂにおける第１光源部３１では、複数（１６個）のＬＥＤチップ３４のうち第１規定数（４個）のＬＥＤチップ３４を直列接続して構成された第１所定数（４個）の第１基本回路４１が並列接続されている。また、第１変形例のＬＥＤモジュール１ｂにおける第２光源部３２では、複数（２０個）のＬＥＤチップ３４のうち第２規定数（４個）のＬＥＤチップ３４を直列接続して構成された第２所定数（５個）の第２基本回路４２が並列接続されている。ＬＥＤモジュール１ａでは、第１規定数（４個）と第２規定数（４個）とが同じであり、第１所定数（４個）と第２所定数（５個）とが異なる。つまり、ＬＥＤモジュール１ｂでは、第１光源部３１と第２光源部３２とで回路構成における並列数が異なっている。以上の構成により、第１変形例のＬＥＤモジュールｂでは、第１光源部３１の順方向電圧と第２光源部３２の順方向電圧とが略同じでありながらも、第１光源部３１の光束と第２光源部３２の光束とを異ならせることができる。
【００５０】
実施形態１で説明した照明器具６のＬＥＤモジュール１ａに代えて第１変形例のＬＥＤモジュール１ｂを適用した場合にも、明るさ感を向上させることが可能となる。
【００５１】
（第２変形例）
以下、第２変形例のＬＥＤモジュール１ｃについて、図７に基づいて説明する。
【００５２】
第２変形例のＬＥＤモジュール１ｃは、実施形態１のＬＥＤモジュール１ａと基本構成が同じである。第２変形例のＬＥＤモジュール１ｃでは、直列回路４における第１光源部３１及び第２光源部３２それぞれの数を半分として、２つの直列回路４を並列的に接続してある点が相違する。
【００５３】
実施形態１で説明した照明器具６のＬＥＤモジュール１ａに代えて第２変形例のＬＥＤモジュール１ｃを適用した場合にも、明るさ感を向上させることが可能となる。
【００５４】
（実施形態２）
以下では、実施形態２のＬＥＤモジュール１ｄについて、図８に基づいて説明する。
【００５５】
本実施形態のＬＥＤモジュール１ｄは、実施形態１のＬＥＤモジュール１ａと基本構成が同じである。本実施形態のＬＥＤモジュール１ｄでは、複数の第１光源部３１及び複数の第２光源部３２の各々における複数のＬＥＤチップ３４は、回路基板２の表面２１に実装されている。これにより、本実施形態のＬＥＤモジュール１ｄでは、光出力の高出力化を図ることが可能となる。なお、本実施形態のＬＥＤモジュール１ｄに関し、ＬＥＤモジュール１ａと同様の構成要素には同一の符号を付して説明を省略する。
【００５６】
「ＬＥＤチップ３４は、回路基板２の表面２１に実装されている」とは、ＬＥＤチップ３４が回路基板２の表面２１上に配置されて機械的に接続されていること、及びＬＥＤチップ３４が回路基板２の配線２３に電気的に接続されていることを含む概念である。要するに、本実施形態のＬＥＤモジュール１ｄは、ＣＯＢ（Chip On Board）型のＬＥＤモジュールである。
【００５７】
本実施形態のＬＥＤモジュール１ｄにおける第１光源部３１は、波長変換部３５の平面視形状が円形状である。第１光源部３１では、複数（１６個）のＬＥＤチップ３４が、複数（２つ）の同心状の仮想円ＶＣ１１、ＶＣ１２上に分けて配置されている。より詳細には、第１光源部３１では、内側の仮想円ＶＣ１１の円周上に４個のＬＥＤチップ３４が等間隔で配置され、外側の仮想円ＶＣ１２の円周上に１２個のＬＥＤチップ３４が等間隔で配置されている。
【００５８】
また、本実施形態のＬＥＤモジュール１ｄにおける第２光源部３２は、波長変換部３５の平面視形状が円形状である。第２光源部３２では、複数（１２個）のＬＥＤチップ３４が、複数（２つ）の同心状の仮想円ＶＣ２１、ＶＣ２２上に分けて配置されている。より詳細には、第２光源部３２では、内側の仮想円ＶＣ２１の円周上に２個のＬＥＤチップ３４が等間隔で配置され、外側の仮想円ＶＣ２２の円周上に１０個のＬＥＤチップ３４が配置されている。
【００５９】
本実施形態のＬＥＤモジュール１ｄでは、各第１光源部３１及び各第２光源部３２の各々の波長変換部３５の平面視形状が円形状であるので、各第１光源部３１及び各第２光源部３２の各々から放射される光の色むらを、より抑制することが可能となる。また、本実施形態のＬＥＤモジュール１ｄでは、各第１光源部３１及び各第２光源部３２の各々の配光特性を点光源の配光特性に近づけることが可能となる。
【００６０】
実施形態１で説明した照明器具６のＬＥＤモジュール１ａに代えて本実施形態のＬＥＤモジュール１ｄを適用した場合にも、明るさ感を向上させることが可能となる。
【００６１】
実施形態１、第１変形例、第２変形例及び実施形態２に記載した材料、数値等は、好ましい例を示しているだけであり、それに限定する主旨ではない。更に、本願発明は、その技術的思想の範囲を逸脱しない範囲で、構成に適宜変更を加えることが可能である。
【００６２】
回路基板２の平面視形状は、円形状に限らず、例えば、矩形状等でもよい。また、回路基板２を構成するプリント配線板は、例えば、金属ベースプリント配線板でもよい。
【００６３】
また、回路基板２は、その中央部に電線挿通孔が形成されていてもよい。電線挿通孔は、第１端子部２７に電気的に接続される第１電線と第２端子部２８に電気的に接続される第２電線とを通すための孔である。
【００６４】
また、波長変換部３５の透光性材料は、シリコーン系樹脂に限らず、例えば、ガラス等でもよい。
【００６５】
また、各レンズ８の材料は、アクリル樹脂に限らず、例えば、ポリカーボネート樹脂、シリコーン樹脂、ガラス等でもよい。
【００６６】
また、ＬＥＤモジュール１ａ〜１ｄがレンズ部材８００を備えていてもよく、これにより、明るさ感を、より向上させることが可能となる。
【００６７】
また、照明器具６は、複数のレンズ８を覆っているカバーをさらに備えていてもよい。カバーは、透光性を有する。この場合、複数のレンズ８とカバーとを含む光学系の少なくとも一部が、拡散透過性を有するように構成してもよい。
【００６８】
また、照明器具は、ダウンライトに限らず、例えば、大型施設（アミューズメント施設等）で使用される投光器等の照明器具でもよい。
【符号の説明】
【００６９】
１ａ、１ｂ、１ｃ、１ｄ  ＬＥＤモジュール
２  回路基板
２３  配線
４  直列回路
４１  第１基本回路
４２  第２基本回路
３１  第１光源部
３２  第２光源部
３４  ＬＥＤチップ
３５  波長変換部
３５０  中心軸
３５１  外周
６  照明器具
７  器具本体
８  レンズ
Ｌ１  最短距離
【図１】
2017050080.tif 000003
【図２】
2017050080.tif 000004
【図３】
2017050080.tif 000005
【図４】
2017050080.tif 000006
【図５】
2017050080.tif 000007
【図６】
2017050080.tif 000008
【図７】
2017050080.tif 000009
【図８】
2017050080.tif 000010